【事件の表示】
　特許第５７６１３４４号発明「有機ＥＬ照明器具」の特許異議申立事件について、次のとおり決定する。
【結　論】
　特許第５７６１３４４号の特許請求の範囲を訂正請求書に添付された訂正特許請求の範囲のとおり、訂正後の請求項〔１、２、６、８、９〕、３、４、５、７について訂正することを認める。
　特許第５７６１３４４号の請求項１ないし７に係る特許を維持する。
　特許第５７６１３４４号の請求項８及び９に係る特許についての特許異議の申立てを却下する。
【理　由】
１．手続の経緯
　特許第５７６１３４４号の請求項１〜９に係る特許についての出願は、２０１２年５月１日（優先権主張　２０１１年６月１４日、日本国）を国際出願日として特許出願され、平成２７年６月１９日にその特許権の設定登録がされ、その後、その特許について、特許異議申立人　榎本英俊（以下、「申立人」という。）により特許異議の申立てがなされ、平成２８年５月１３日付けで取消理由が通知され、その指定期間内である同年７月１９日に意見書の提出及び訂正の請求があり、同年９月１３日付けで取消理由（決定の予告）が通知され、その指定期間内である同年１１月８日に意見書の提出及び訂正の請求がされたものである。
２．訂正の適否についての判断
（１）訂正の内容
　平成２８年１１月８日の訂正の請求（以下、「本件訂正請求」という。）による訂正の内容は以下のとおりである。
　なお、下線部は訂正箇所を示す。
ア　訂正事項１
　特許請求の範囲の請求項１に
「前記駆動回路は、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御する、」
と記載されているのを、
「前記駆動回路は、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御する
第１の制御と、前記発光部内における中央側に配置された前記有機ＥＬパネルに供給される前記電流の電流密度と、前記発光部内の外周側に配置された前記有機ＥＬパネルに供給される前記電流の電流密度とが等しくなるように、複数の前記有機ＥＬパネルの各々に供給される前記電流を制御する第２の制御と、を有し、
　
複数の前記有機ＥＬパネルの発光輝度を調節する調光回路をさらに備え、
　
前記調光回路は、前記発光輝度を下げる際には、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御し、
　
前記調光回路によって調光される調光レベルに応じて、前記第１の制御と前記第２の制御が切り替わる、
に訂正する。
イ　訂正事項２
　特許請求の範囲の請求項３に
「前記駆動回路は、前記発光部内における外周側に配置された複数の前記有機ＥＬパネル同士を互いに直列接続し、前記発光部内における中央側に配置された複数の前記有機ＥＬパネル同士を互いに並列接続する、
請求項１に記載の有機ＥＬ照明器具」
と記載されているのを、
「
複数の有機ＥＬパネルが面状に配列された発光部と、
　
複数の前記有機ＥＬパネルの各々に電流を供給する駆動回路と、を備え、
　
前記駆動回路は、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御し、
　前記駆動回路は、前記発光部内における外周側に配置された複数の前記有機ＥＬパネル同士を互いに直列接続し、前記発光部内における中央側に配置された複数の前記有機ＥＬパネル同士を互いに並列接続する、
有
に訂正する。
ウ　訂正事項３
　特許請求の範囲の請求項４に
「前記駆動回路は、前記発光部内における外周側に配置された複数の前記有機ＥＬパネル同士を互いに直列接続し、前記発光部内における中央側に配置された複数の前記有機ＥＬパネルの各々に対して発熱に応じて抵抗値が下がる抵抗体を並列接続する、
　請求項１に記載の有機ＥＬ照明器具」
と記載されているのを、
「
複数の有機ＥＬパネルが面状に配列された発光部と、
　
複数の前記有機ＥＬパネルの各々に電流を供給する駆動回路と、を備え、
　
前記駆動回路は、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御し、
　前記駆動回路は、前記発光部内における外周側に配置された複数の前記有機ＥＬパネル同士を互いに直列接続し、前記発光部内における中央側に配置された複数の前記有機ＥＬパネルの各々に対して発熱に応じて抵抗値が下がる抵抗体を並列接続する、
有
に訂正する。
エ　訂正事項４
　特許請求の範囲の請求項５に
「複数の前記有機ＥＬパネルの発光輝度を調節する調光回路をさらに備え、
　前記調光回路は、前記発光輝度を下げる際には、前記発光部内における中央側に配置された前記有機ＥＬパネルに供給される前記電流の電流密度が、前記発光部内の外周側に配置された前記有機ＥＬパネルに供給される前記電流の電流密度よりも優先的に小さくなるように、複数の前記有機ＥＬパネルの各々に供給される前記電流を制御する、
請求項１から４のいずれかに記載の有機ＥＬ照明器具」
と記載されているのを、
「
複数の有機ＥＬパネルが面状に配列された発光部と、
　
複数の前記有機ＥＬパネルの各々に電流を供給する駆動回路と、を備え、
　
前記駆動回路は、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御する第１の制御と、前記発光部内における中央側に配置された前記有機ＥＬパネルに供給される前記電流の電流密度と、前記発光部内の外周側に配置された前記有機ＥＬパネルに供給される前記電流の電流密度とが等しくなるように、複数の前記有機ＥＬパネルの各々に供給される前記電流を制御する第２の制御と、を有し、
　複数の前記有機ＥＬパネルの発光輝度を調節する調光回路をさらに備え、
　前記調光回路は、前記発光輝度を下げる際には、前記発光部内における中央側に配置された前記有機ＥＬパネルに供給される前記電流の電流密度が、前記発光部内の外周側に配置された前記有機ＥＬパネルに供給される前記電流の電流密度よりも優先的に小さくなるように、複数の前記有機ＥＬパネルの各々に供給される前記電流を制御
し、
　
前記調光回路によって調光される調光レベルに応じて、前記第１の制御と前記第２の制御が切り替わる、
有
に訂正する。
オ　訂正事項５
　特許請求の範囲の請求項７に
「複数の前記有機ＥＬパネルの発光輝度を調節する調光回路をさらに備え、
　前記駆動回路は、前記調光回路が前記発光輝度を下げた際に、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御する、
請求項１に記載の有機ＥＬ照明器具」
と記載されているのを、
「
複数の有機ＥＬパネルが面状に配列された発光部と、
　
複数の前記有機ＥＬパネルの各々に電流を供給する駆動回路と、を備え、
　
前記駆動回路は、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御する第１の制御と、前記発光部内における中央側に配置された前記有機ＥＬパネルに供給される前記電流の電流密度と、前記発光部内の外周側に配置された前記有機ＥＬパネルに供給される前記電流の電流密度とが等しくなるように、複数の前記有機ＥＬパネルの各々に供給される前記電流を制御する第２の制御と、を有し、
　複数の前記有機ＥＬパネルの発光輝度を調節する調光回路をさらに備え、
　前記駆動回路は、前記調光回路が前記発光輝度を下げた際に、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御
し、
　
前記調光回路によって調光される調光レベルが最大に設定された状態においては、前記第２の制御が行なわれる、
有
に訂正する。
カ　訂正事項６
　特許請求の範囲の請求項８を削除する。
キ　訂正事項７
　特許請求の範囲の請求項９を削除する。
（２）訂正の目的の適否、新規事項の有無、一群の請求項及び特許請求の範囲の拡張・変更の存否
ア　訂正事項１
　訂正事項１は、訂正前の請求項１に係る発明の、「駆動回路」が「前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御する」ことを「第１の制御」とし、さらに「前記発光部内における中央側に配置された前記有機ＥＬパネルに供給される前記電流の電流密度と、前記発光部内の外周側に配置された前記有機ＥＬパネルに供給される前記電流の電流密度とが等しくなるように、複数の前記有機ＥＬパネルの各々に供給される前記電流を制御する第２の制御と、を有」することを特定し、「複数の前記有機ＥＬパネルの発光輝度を調節する調光回路をさらに備え、前記調光回路は、前記発光輝度を下げる際には、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御し、前記調光回路によって調光される調光レベルに応じて、前記第１の制御と前記第２の制御が切り替わる」ことを特定しており、発明を特定する事項を直列的に付加するものであるので、特許法第１２０条の５第２項ただし書第１号に規定する「特許請求の範囲の減縮」を目的とするものといえる。
　また、訂正事項１は、発明を特定する事項を直列的に付加するものであり、カテゴリーや対象、目的を変更するものではないから、実質上特許請求の範囲を拡張し、又は変更するものには該当せず、特許法第１２０条の５第９項で準用する特許法第１２６条第６項に適合するものである。
　そして、訂正事項１のうちの、「複数の前記有機ＥＬパネルの発光輝度を調節する調光回路をさらに備え」ることを特定する訂正は、願書に添付した明細書（以下、「特許明細書」という。）の段落【００４７】の「図８に示す有機ＥＬ照明器具１０１ａのように、駆動回路３１には、発光部１０における発光輝度を調節する調光回路４０が接続されていてもよい」との記載から導き出せるものである。
　また、訂正事項１のうちの、「第１の制御」とし、さらに「前記発光部内における中央側に配置された前記有機ＥＬパネルに供給される前記電流の電流密度と、前記発光部内の外周側に配置された前記有機ＥＬパネルに供給される前記電流の電流密度とが等しくなるように、複数の前記有機ＥＬパネルの各々に供給される前記電流を制御する第２の制御と、を有」することを特定し、「前記調光回路によって調光される調光レベルに応じて、前記第１の制御と前記第２の制御が切り替わる」ことを特定する訂正は、特許明細書の段落【００５２】の「図１０を参照して、有機ＥＬ照明器具１０１ｂのように、調光機能を有している場合であっても、発光輝度が最大となる調光レベル（ＭＡＸ）に設定された状態においては、電流Ｉ１，Ｉ２，Ｉ３の電流値が等しく１００ｍＡとなるように制御されてもよい」及び段落【００５３】の「必要に応じて、調光レベルが最大（ＭＡＸ）に設定されることによって、高い発光輝度が得られるため、照明器具としての利便性をさらに向上させることが可能となる」との記載から導き出せるものである。
　さらに、訂正事項１のうちの「前記調光回路は、前記発光輝度を下げる際には、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御」することを特定する訂正は、特許明細書の段落【００５０】の「図９に示すように、たとえば発光部１０の発光輝度を下げる際には、調光回路４０（図８参照）による制御によって、調光されるレベルに応じて電流Ｉ１、電流Ｉ２、電流Ｉ３の順に電流値が小さくなるように制御される」との記載から導き出せるものである。
　したがって、訂正事項１は、特許明細書に記載した事項の範囲内の訂正であり、特許法第１２０条の５第９項で準用する特許法第１２６条第５項に適合するものである。
　訂正後の請求項１を引用する訂正後の請求項２、６についても、特許請求の範囲の減縮を目的とするものであり、実質上特許請求の範囲を拡張し、又は変更するものには該当せず、特許明細書に記載した事項の範囲内の訂正であるといえる。
イ　訂正事項２
　訂正事項２は、訂正前の請求項３が訂正前の請求項１の記載を引用する記載であったものを、請求項間の引用関係を解消し、請求項１の記載を引用しないものとし、独立形式請求項へ改めるための訂正であって、特許法第１２０条の５第２項ただし書第４号に規定する「他の請求項の記載を引用する請求項の記載を当該他の請求項の記載を引用しないものとすること」を目的とするものといえる。
　そして、訂正事項２は、何ら実質的な内容の変更を伴うものではないから、特許法第１２０条の５第９項で準用する特許法第１２６条第５項及び第６項に適合するものである。
ウ　訂正事項３
　訂正事項３は、訂正前の請求項４が訂正前の請求項１の記載を引用する記載であったものを、請求項間の引用関係を解消し、請求項１の記載を引用しないものとし、独立形式請求項へ改めるための訂正であって、特許法第１２０条の５第２項ただし書第４号に規定する「他の請求項の記載を引用する請求項の記載を当該他の請求項の記載を引用しないものとすること」を目的とするものといえる。
　そして、訂正事項３は、何ら実質的な内容の変更を伴うものではないから、特許法第１２０条の５第９項で準用する特許法第１２６条第５項及び第６項に適合するものである。
エ　訂正事項４
　訂正事項４は、訂正前の請求項５が訂正前の請求項１〜４のいずれかの記載を引用する記載であったものを、請求項間の引用関係を解消し、請求項１の記載を引用しないものとし、独立形式請求項へ改めるための訂正であって、特許法第１２０条の５第２項ただし書第４号に規定する「他の請求項の記載を引用する請求項の記載を当該他の請求項の記載を引用しないものとすること」を目的とするものといえる。
　さらに、訂正事項４は、訂正前の請求項１を引用する請求項５に係る発明に対し、「第１の制御と、前記発光部内における中央側に配置された前記有機ＥＬパネルに供給される前記電流の電流密度と、前記発光部内の外周側に配置された前記有機ＥＬパネルに供給される前記電流の電流密度とが等しくなるように、複数の前記有機ＥＬパネルの各々に供給される前記電流を制御する第２の制御と、を有」することと、「前記調光回路によって調光される調光レベルに応じて、前記第１の制御と前記第２の制御が切り替わる」こととをさらに特定しており、発明を特定する事項を直列的に付加するものであり、特許法第１２０条の５第２項ただし書第１号に規定する「特許請求の範囲の減縮」を目的とするものともいえる。
　また、訂正事項４は、発明を特定する事項を直列的に付加するもの、および他の請求項の記載を引用する請求項の記載を当該他の請求項の記載を引用しないものとするものであり、カテゴリーや対象、目的を変更するものではないから、実質上特許請求の範囲を拡張し、又は変更するものには該当せず、特許法第１２０条の５第９項で準用する特許法第１２６条第６項に適合するものである。
　そして、訂正事項４は、上記アで述べたと同様に、特許明細書の段落【００５２】及び段落【００５３】の記載から導き出せるものであり、特許明細書に記載した事項の範囲内の訂正であり、特許法第１２０条の５第９項で準用する特許法第１２６条第５項に適合するものである。
オ　訂正事項５
　訂正事項５は、訂正前の請求項７が訂正前の請求項１の記載を引用する記載であったものを、請求項間の引用関係を解消し、請求項１の記載を引用しないものとし、独立形式請求項へ改めるための訂正であって、特許法第１２０条の５第２項ただし書第４号に規定する「他の請求項の記載を引用する請求項の記載を当該他の請求項の記載を引用しないものとすること」を目的とするものといえる。
　さらに、訂正事項５は、訂正前の請求項１を引用する請求項７に係る発明に対し、「第１の制御と、前記発光部内における中央側に配置された前記有機ＥＬパネルに供給される前記電流の電流密度と、前記発光部内の外周側に配置された前記有機ＥＬパネルに供給される前記電流の電流密度とが等しくなるように、複数の前記有機ＥＬパネルの各々に供給される前記電流を制御する第２の制御と、を有」することと、「前記調光回路によって調光される調光レベルが最大に設定された状態においては、前記第２の制御が行なわれる」こととをさらに特定しており、発明を特定する事項を直列的に付加するものであり、特許法第１２０条の５第２項ただし書第１号に規定する「特許請求の範囲の減縮」を目的とするものともいえる。
　また、訂正事項５は、発明を特定する事項を直列的に付加するもの、および他の請求項の記載を引用する請求項の記載を当該他の請求項の記載を引用しないものとするものであり、カテゴリーや対象、目的を変更するものではないから、実質上特許請求の範囲を拡張し、又は変更するものには該当せず、特許法第１２０条の５第９項で準用する特許法第１２６条第６項に適合するものである。
　そして、訂正事項５は、上記アで述べたと同様に、特許明細書の段落【００５２】及び段落【００５３】の記載から導き出せるものであり、特許明細書に記載した事項の範囲内の訂正であり、特許法第１２０条の５第９項で準用する特許法第１２６条第５項に適合するものである。
カ　訂正事項６、７
　訂正事項６は、請求項８を削除するというものであり、訂正事項７は、請求項９を削除するものであるから、訂正事項６、７は、特許法第１２０条の５第２項ただし書第１号に規定する「特許請求の範囲の減縮」を目的とするものといえる。
　そして、訂正事項６、７は、請求項８、９を削除するというものであるから、実質上特許請求の範囲を拡張し、又は変更するものには該当せず、特許法第１２０条の５第９項で準用する第１２６条第６項に適合する。
　また、訂正事項６、７は、請求項８、９を削除するというものであるから、特許明細書、特許請求の範囲又は図面に記載した事項の範囲内の訂正であり、特許法第１２０条の５第９項で準用する第１２６条第５項に適合するものである。
キ　一群の請求項
　本件訂正請求前の請求項１〜９について、請求項２〜９は直接又は間接的に請求項１を引用するものであり、本件訂正請求は特許法１２０条の５第４項に規定する一群の請求項ごとに請求されたものである。
（３）むすび
　以上のとおりであるから、本件訂正請求に係る訂正事項１〜７は、特許法第１２０条の５第２項ただし書第１号及び第４号に掲げる事項を目的とするものであり、かつ、同条第９項において準用する同法第１２６条第５項及び第６項の規定に適合するので、訂正後の請求項〔１、２、６、８、９〕、３、４、５、７について訂正を認める。
　訂正後の請求項３、４、５、７に係る訂正事項２〜５は、引用関係の解消を目的とする訂正であって、その訂正は認められるものである。そして、特許権者から、訂正後の請求項３、４、５、７について訂正が認められるときは請求項１とは別の訂正単位として扱われることの求めがあったことから、訂正後の請求項３、４、５、７は、請求項１とは別途訂正することを認める。
３．特許異議の申立てについて
（１）本件発明
　本件訂正請求により訂正された請求項１〜７に係る発明（以下「本件発明１〜７」という。）は、その特許請求の範囲の請求項１〜７に記載された次の事項により特定されるとおりのものである。
「【請求項１】
　複数の有機ＥＬパネルが面状に配列された発光部と、
　複数の前記有機ＥＬパネルの各々に電流を供給する駆動回路と、を備え、
　前記駆動回路は、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御する第１の制御と、
前記発光部内における中央側に配置された前記有機ＥＬパネルに供給される前記電流の電流密度と、前記発光部内の外周側に配置された前記有機ＥＬパネルに供給される前記電流の電流密度とが等しくなるように、複数の前記有機ＥＬパネルの各々に供給される前記電流を制御する第２の制御と、を有し、
　複数の前記有機ＥＬパネルの発光輝度を調節する調光回路をさらに備え、
　前記調光回路は、前記発光輝度を下げる際には、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御し、
　前記調光回路によって調光される調光レベルに応じて、前記第１の制御と前記第２の制御が切り替わる、
有機ＥＬ照明器具。
【請求項２】
　前記発光部内の温度を検知する温度センサーをさらに備え、
　前記駆動回路は、前記温度センサーが検知した値に応じて、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御する、
請求項１に記載の有機ＥＬ照明器具。
【請求項３】
　複数の有機ＥＬパネルが面状に配列された発光部と、
　複数の前記有機ＥＬパネルの各々に電流を供給する駆動回路と、を備え、
　前記駆動回路は、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御し、
　前記駆動回路は、前記発光部内における外周側に配置された複数の前記有機ＥＬパネル同士を互いに直列接続し、前記発光部内における中央側に配置された複数の前記有機ＥＬパネル同士を互いに並列接続する、
有機ＥＬ照明器具。
【請求項４】
　複数の有機ＥＬパネルが面状に配列された発光部と、
　複数の前記有機ＥＬパネルの各々に電流を供給する駆動回路と、を備え、
　前記駆動回路は、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御し、
　前記駆動回路は、前記発光部内における外周側に配置された複数の前記有機ＥＬパネル同士を互いに直列接続し、前記発光部内における中央側に配置された複数の前記有機ＥＬパネルの各々に対して発熱に応じて抵抗値が下がる抵抗体を並列接続する、
有機ＥＬ照明器具。
【請求項５】
　複数の有機ＥＬパネルが面状に配列された発光部と、
　複数の前記有機ＥＬパネルの各々に電流を供給する駆動回路と、を備え、
　前記駆動回路は、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御する第１の制御と、前記発光部内における中央側に配置された前記有機ＥＬパネルに供給される前記電流の電流密度と、前記発光部内の外周側に配置された前記有機ＥＬパネルに供給される前記電流の電流密度とが等しくなるように、複数の前記有機ＥＬパネルの各々に供給される前記電流を制御する第２の制御と、を有し、
　複数の前記有機ＥＬパネルの発光輝度を調節する調光回路をさらに備え、
　前記調光回路は、前記発光輝度を下げる際には、前記発光部内における中央側に配置された前記有機ＥＬパネルに供給される前記電流の電流密度が、前記発光部内の外周側に配置された前記有機ＥＬパネルに供給される前記電流の電流密度よりも優先的に小さくなるように、複数の前記有機ＥＬパネルの各々に供給される前記電流を制御し、
　前記調光回路によって調光される調光レベルに応じて、前記第１の制御と前記第２の制御が切り替わる、
有機ＥＬ照明器具。
【請求項６】
　複数の前記有機ＥＬパネルは、前記発光部の中央側に配置される第１グループと、前記第１グループの外周側に配置される第２グループと、前記第２グループの外周側に配置される第３グループとを含む少なくとも３つのグループに区分され、
　前記駆動回路は、内側に配置された前記グループの前記有機ＥＬパネルほど電流密度が小さくなるように、複数の前記有機ＥＬパネルの各々に供給される前記電流を制御する、
請求項１に記載の有機ＥＬ照明器具。
【請求項７】
　複数の有機ＥＬパネルが面状に配列された発光部と、
　複数の前記有機ＥＬパネルの各々に電流を供給する駆動回路と、を備え、
　前記駆動回路は、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御する第１の制御と、前記発光部内における中央側に配置された前記有機ＥＬパネルに供給される前記電流の電流密度と、前記発光部内の外周側に配置された前記有機ＥＬパネルに供給される前記電流の電流密度とが等しくなるように、複数の前記有機ＥＬパネルの各々に供給される前記電流を制御する第２の制御と、を有し、
　複数の前記有機ＥＬパネルの発光輝度を調節する調光回路をさらに備え、
　前記駆動回路は、前記調光回路が前記発光輝度を下げた際に、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御し、
　前記調光回路によって調光される調光レベルが最大に設定された状態においては、前記第２の制御が行われる、
有機ＥＬ照明器具。」
（２）取消理由の概要
　本件訂正請求による訂正前の請求項１、２、５〜９に係る特許に対して平成２８年５月１３日付けで特許権者に通知した取消理由は、要旨次のとおりである。
［取消理由］
　本件特許の請求項１、２、５〜９に係る発明は、本件特許の出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであって、特許法第２９条第２項の規定により特許を受けることができないから、その発明に係る特許は取り消すべきものである。
　　　　　　　　　　　　　　　　　記
　引用文献１：特開２００８−４８２８号公報
　引用文献２：特開２０００−２７７２５５号公報
　引用文献３：特開２００８−２５７９９３号公報
ア　請求項１について
　請求項１に係る発明は、引用文献１に記載の発明及び引用文献２に示されるような周知の事項に基づいて当業者が容易に発明をすることができたものである。
イ　請求項２について
　請求項２に係る発明は、引用文献１に記載の発明、周知の事項及び引用文献３に記載の事項に基づいて当業者が容易に発明をすることができたものである
ウ　請求項５〜９について
　請求項５〜９に係る発明は、引用文献１に記載の発明及び周知の事項（請求項２に従属する場合は、さらに引用文献３に記載の事項）に基づいて当業者が容易に発明をすることができたものである。
（３）引用文献
ア　引用文献１に記載された事項及び引用発明
　引用文献１には、図面とともに次の事項が記載されている。（なお、下線は当審で付したものである。以下同様。）
（ア−１）
「【０００５】
　本発明は、上記従来の課題を解決するもので、基板面内の温度分布を均一化することができる光源と、これを用いた光源システムを提供する。」
（ア−２）
「【０００８】
　本発明の光源及び光源システムによれば、温度が上昇し易い発光素子に対し、その他の発光素子よりも投入電流を低減することで、基板面内の温度分布を均一化することができる。これにより、例えば基板の反り等の不具合を防止し、光源システムの長寿命化が可能となる。」
（ア−３）
「【００１９】
　図１に示すように、
光源１は、基板１１と、基板１１上の領域Ｘに配置された１２個の第１発光素子１３と、基板１１上の領域Ｙに配置された４個の第２発光素子１５と、基板１１上の領域Ｚに配置された２０個の第３発光素子１７とを含む。第２発光素子１５は第１発光素子１３に囲まれており、第１発光素子１３は第３発光素子１７に囲まれている
第１〜第３発光素子１３，１５，１７は、それぞれ第１〜第３回路１２，１４，１６に実装されている。そして、第１〜第３回路１２，１４，１６には、それぞれ回路に流れる電流を一定の値に維持する定電流制御部１８が設けられている
【００２０】
　図２に示すように、
光源システム２は、上述した光源１と、それぞれの定電流制御部１８に接続された中央制御部１９とを含む
中央制御部１９は、第１及び第２発光素子１３，１５のそれぞれに印加される電圧値に基づいて、第２発光素子１５に投入される電流値が第１発光素子１３に投入される電流値より小さくなるように制御する
【００２１】
　また、
中央制御部１９は、第１及び第３発光素子１３，１７のそれぞれに印加される電圧値に基づいて、第１発光素子１３に投入される電流値が第３発光素子１７に投入される電流値より小さくなるように制御する
（ア−４）
「【００２７】
　本発明の光源及び光源システムは、例えば、一般照明、演出照明（サイン灯等）、自動車用照明（特に前照灯）等に使用される照明装置や、街頭用大型ディスプレイ、プロジェクタ等に使用される表示装置等に有用である。」
　上記記載事項及び【図１】、【図２】の記載からみて、引用文献１には、次の発明（以下、「引用発明」という。）が記載されていると認められる。
〔引用発明〕
「基板１１上に配置された４個の第２発光素子１５と、第２発光素子１５を囲んで基板１１上に配置された１２個の第１発光素子１３と、第１発光素子１３を囲んで基板１１上に配置された２０個の第３発光素子１７とを含んだ光源１と、
　第１〜第３発光素子１３，１５，１７のそれぞれに接続され、各発光素子に流れる電流を一定の値に維持する定電流制御部１８と、
　それぞれの定電流制御部１８に接続された中央制御部１９と、を備え、
　中央制御部１９は、第２発光素子１５に投入される電流値が第１発光素子１３に投入される電流値より小さくなるように定電流制御部１８を制御し、第１発光素子１３に投入される電流値が第３発光素子１７に投入される電流値より小さくなるように定電流制御部１８を制御する、
　光源システム。」
イ　引用文献２に記載された事項
　引用文献２には、次の事項が記載されている。
（イ−１）
「【０００５】図５（ｂ）はＥＬパネルの輝度が動作時間とともに低下する様子を示したグラフであり、初期輝度を１００％とし、温度別に描かれている。ＥＬパネルの寿命を輝度が初期値の５０％となる迄の時間であると定義すると、図より
高温になるに従い急激に寿命が短くなる
（イ−２）
「【００１１】
【発明の実施の形態】図１は本発明の実施の形態の一例であるＥＬ用駆動回路の回路図である。図４に示した従来例と基本的には同じ昇圧動作をする。共通な構成要素には同じ記号を付し、かつ説明を省略する。この回路の動作上の特徴は、
高温になるとＬＥパネルに印加される駆動電圧を低下させ
ウ　引用文献３に記載された事項
　引用文献３には、次の事項が記載されている。
（ウ−１）
「【０００５】
　特に、
敷き詰められた発光ダイオード素子の中でも、その中央近傍は、全ての発光ダイオード素子の熱が集中することになり、極めて高温になってしまう
周囲の発光ダイオード素子と比較して、中央の発光ダイオード素子が熱劣化しやすい
（ウ−２）
「【０００７】
　本発明は上記問題点に鑑みてなされたものであり、
発熱による発光ダイオード素子の低寿命化を回避する
（ウ−３）
「【００２９】
　図２に示されるように、この発光ダイオード照明装置１００では、ＬＥＤ基板１２０において、複数の環状領域に区分けされてＬＥＤ素子１１０が配置される。具体的にＬＥＤ基板１２０には、中央に位置する円形の中央領域５０と、この中央領域５０の周囲に環状に配置される第１環状領域６０と、この第１環状領域６０の外周側に環状に配置される第２環状領域７０が形成されている。」
（ウ−４）
「【００３９】
　また、第１環状領域６０における発光ダイオードモジュール６２は、内周側となる第３列のＬＥＤ素子１１０を含む。また、発光ダイオードモジュール６４は、外周側となる第４列及び第５列のＬＥＤ素子１１０を含む。従って、内周側の発光ダイオードモジュール６２は、外周側の発光ダイオードモジュール６４と比較してカバーする列数が少ない。これは、内周側のＬＥＤ素子１１０の方が、発熱の影響を受けやすいからである。このようにすることで、内周側の発光ダイオードモジュール６２の熱影響を軽減させることができる。」
（ウ−５）
「【００４１】
　次に、この発光ダイオード照明装置１００の作用について説明する。
【００４２】
　
通常モード
中央領域５０、第１環状領域６０、第２環状領域７０の全てのＬＥＤ素子群を点灯させる
（ウ−６）
「【００４４】
　
中間モード
中央領域５０と第２環状領域７０が発光する
【００４５】
　
省力モード
第１環状領域６０のみを発光させる
（ウ−７）
「【００４６】
　更に、本実施形態では、照明制御装置Ｃが、
中央に配置される温度センサー９５の検出値を参考にして上記通常モード、中間モード、省力モードを自動的に切り替える
温度が低い場合は通常モードに設定し、温度が所定の第１閾値を超えると中間モードに切り替える
更に温度が上昇して所定の第２閾値を超えた場合には省力モードに切り替える
（４）当審の判断
ア　本件発明１
　本件発明１と引用発明とを対比する。
　後者の「４個の第２発光素子１５」、「１２個の第１発光素子１３」、「２０個の第３発光素子１７」は、前者の「複数の有機ＥＬパネル」と、「複数の発光素子」である限りにおいて一致する。
　後者の第１〜第３発光素子１３、１５、１７は基板１１上に配置されているので、面状に配置されているといえ、基板１１上に第１〜第３発光素子１３、１５、１７が配置された「光源１」は、前者の「複数の有機ＥＬパネルが面状に配列された発光部」と、「複数の発光素子が面状に配列された発光部」である限りにおいて一致する。
　後者の「第１〜第３発光素子１３，１５，１７のそれぞれに接続され、各発光素子に流れる電流を一定の値に維持する定電流制御部１８」及び「それぞれの定電流制御部１８に接続された中央制御部１９」は、前者の「複数の有機ＥＬパネルの各々に電流を供給する駆動回路」と、「複数の発光素子の各々に電流を供給する駆動回路」である限りにおいて一致する。
　後者の「中央制御部１９は、第２発光素子１５に投入される電流値が第１発光素子１３に投入される電流値より小さくなるように定電流制御部１８を制御し、第１発光素子１３に投入される電流値が第３発光素子１７に投入される電流値より小さくなるように定電流制御部１８を制御する」ことは、前者の「駆動回路は、発光部内における中央側に配置された有機ＥＬパネルに供給される電流の電流密度が、発光部内の外周側に配置された有機ＥＬパネルに供給される電流の電流密度よりも小さくなるように、複数の前記有機ＥＬパネルの各々に供給される電流を制御する第１の制御」「を有する」ことと、「駆動回路は、発光部内における中央側に配置された発光素子に供給される電流の電流密度が、発光部内の外周側に配置された発光素子に供給される電流の電流密度よりも小さくなるように、複数の発光素子の各々に供給される電流を制御する第１の制御」「を有する」限りにおいて一致する。
　後者の「光源システム」は、「一般照明、演出照明（サイン灯等）、自動車用照明（特に前照灯）等に使用される照明装置」であり（上記（３）ア（ア−４）参照）、照明器具を構成するものであるので、前者の「有機ＥＬ照明器具」と、「照明器具」である限りにおいて一致する。
　そうすると、両者は、
「複数の発光素子が面状に配列された発光部と、
　複数の前記発光素子の各々に電流を供給する駆動回路と、を備え、
　前記駆動回路は、前記発光部内における中央側に配置された前記発光素子に供給される前記電流の電流密度が、前記発光部内の外周側に配置された前記発光素子に供給される前記電流の電流密度よりも小さくなるように、複数の前記発光素子の各々に供給される前記電流を制御する第１の制御、を有する、
照明器具。」
である点で一致し、次の点で相違する。
〔相違点１〕
　本件発明１は、「有機ＥＬパネル」を光源とした「有機ＥＬ照明器具」であるのに対して、引用発明は、「発光素子」を光源とした「光源システム」である点。
〔相違点２〕
　本件発明１は、「駆動回路」が「発光部内における中央側に配置された有機ＥＬパネルに供給される電流の電流密度と、発光部内の外周側に配置された有機ＥＬパネルに供給される電流の電流密度とが等しくなるように、複数の有機ＥＬパネルの各々に供給される電流を制御する第２の制御」を有するとともに、「複数の有機ＥＬパネルの発光輝度を調節する調光回路をさらに備え、前記調光回路は、前記発光輝度を下げる際には、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御し、前記調光回路によって調光される調光レベルに応じて、前記第１の制御と前記第２の制御が切り替わる」との事項を有しているのに対して、引用発明は、「定電流制御部１８」及び「中央制御部１９」がそのような制御態様及び調光回路を有していない点。
　上記各相違点について検討する。
〔相違点１について〕
　面状の発光素子として有機ＥＬパネルを用いることは周知であり、有機ＥＬパネルが発光時に発熱すること、及びその発熱により劣化することも、例えば引用文献２などに記載されているように（上記（３）イ（イ−１）、（イ−２）を参照）周知である。
　引用発明の「複数の発光素子」は、「面状に配列された発光部」すなわち面状の発光部を構成するものであるので、当該発光素子に周知の面状の発行素子である有機ＥＬパネルを用いることは当業者が容易に想到し得ることであり、相違点１に係る本件発明１の構成とすることは、当業者が容易に想到し得ることといえる。
　そして、「温度が上昇し易い発光素子に対し、その他の発光素子よりも投入電流を低減することで、基板面内の温度分布を均一化することができる」（上記（３）ア（ア−２）を参照）とした引用発明に、引用発明の発光素子と同様に、自己の発熱による劣化という課題を有する周知の有機ＥＬパネルを用いたものにおいても、各有機ＥＬパネルの発熱による温度分布を均一化し、自己の発熱による劣化を均一化するものといえる。
　そうしてみると、本件発明１の奏する作用及び効果（「有機ＥＬパネルにおける長寿命化」、本件の特許明細書の段落【００１１】参照）を検討しても、引用発明及び周知の事項から予測できる程度のものであって格別のものとは認められない。
〔相違点２について〕
ａ
　相違点２に係る本件発明１の構成の「第２の制御」とは、特許明細書の段落【００５２】、【００５３】及び【図１０】の記載に対応するものであり、「調光レベル」が「ＭＡＸ」の状態、すなわち全光点灯した状態における制御態様を指すと認められる。
　引用文献３には、敷き詰められた発光ダイオード素子の中では、その中央近傍は、全ての発光ダイオード素子の熱が集中し、極めて高温になってしまい、周囲の発光ダイオード素子と比較して、中央の発光ダイオード素子が熱劣化しやすいこと（上記（３）ウ（ウ−１）を参照）、発熱による発光ダイオード素子の低寿命化を回避するために（同（ウ−２）を参照）、中央に位置する円形の中央領域５０、中央領域５０の周囲に環状に配置される第１環状領域６０、第１環状領域６０の外周側に環状に配置される第２環状領域７０が形成された発光ダイオード照明装置１００において、中央に配置される温度センサー９５の検出値を参考にして、温度が低い場合は中央領域５０、第１環状領域６０、第２環状領域７０の全てのＬＥＤ素子群を発光させる通常モードに設定し、温度が所定の第１閾値を超えると中央領域５０と第２環状領域７０のＬＥＤ素子を発光させる中間モードに切り換え、更に温度が上昇して所定の第２閾値を超えた場合には第１環状領域６０のＬＥＤ素子のみを発光させる省力モードに自動的に切り換えることが記載されている（同（ウ−３）、（ウ−５）〜（ウ−７）を参照）。
　引用文献３には、発光ダイオードを光源とした照明装置において、温度が低い場合にはすべてのＬＥＤを点灯させ全光点灯とし、温度が上昇した時には一部のＬＥＤのみを点灯させ減光して点灯することが、記載または示唆されているといえる。
　引用発明は、「温度が上昇し易い発光素子に対し、その他の発光素子よりも投入電流を低減することで、基板面内の温度分布を均一化することができる」（上記（３）ア（ア−２）を参照）ものであり、減光して点灯するものであるが、照明器具・装置において、全光点灯により明るい照明を得ようとすることは当業者が必要に応じてなし得ることであるといえ、引用発明において全光点灯させる動機付けは十分にあるといえる。
　そして、上述のとおり、引用文献３には、温度の低い場合には全光点灯させることが記載または示唆されているので、当該事項を引用発明の発光素子を周知のＥＬパネルとしたものに適用し、中央側の温度が問題とならない範囲において、全光点灯するようすべての発光素子の電流密度を等しくし、相違点２に係る本件発明１の構成のうちの「第２の制御」を付加することは、当業者が容易に想到し得ることといえる。
ｂ
　ところで、照明器具に単に調光回路を付加するようなことは周知といえるかもしれない。
　しかしながら、調光時に複数ある発光素子のうちの特定の発光素子の電流密度を低減する制御（第１の制御）を行う調光回路が周知ということはできず、そのような制御と、すべての発光素子の電流を等しくする制御（第２の制御）とを切り替える機能を備えた調光回路も周知ということはできない。
　そうしてみると、引用発明の発光素子を周知のＥＬパネルとしたものに、引用文献３に記載の事項を適用して「第１の制御」及び「第２の制御」を有したものとしたうえで、それら２つの制御を切り替える機能を備えた調光回路を付加することが、当業者にとって容易想到ということはできない。
　したがって、引用発明に、相違点２に係る本件発明１の構成のうちの特定の機能を有した「調光回路」を付加することは、周知の事項から当業者が容易に想到し得ることとはいえない。
ｃ
　以上のとおりであるので、引用発明を、相違点２に係る本件発明１の構成のようにすることは、当業者が容易に想到し得ることとはいえない。
　よって、本件発明１は、引用発明、周知の事項及び引用文献３に記載の事項に基づいて当業者が容易に発明をすることができたものであるとはいえない。
イ　本件発明２、６
　本件発明２、６は、本件発明１のすべての事項を含みさらに限定を付加するものであるから、上記アの本件発明１についての判断と同様の理由により、引用発明、周知の事項及び引用文献３に記載の事項に基づいて当業者が容易に発明をすることができたものであるとはいえない。
ウ　本件発明３
　本件発明３と引用発明とを対比すると、本件発明１と共通する事項については、上記アで述べたと同様の相当関係を有するので、上記相違点１に加えて、次の点で相違する。
〔相違点３〕
　本件発明３は、「記駆動回路は、発光部内における外周側に配置された複数の有機ＥＬパネル同士を互いに直列接続し、発光部内における中央側に配置された複数の有機ＥＬパネル同士を互いに並列接続する」との事項を有しているのに対して、引用発明は、そのような接続構造を有していない点。
　相違点１は上記アで検討済みであるので、相違点３について検討する。
〔相違点３について〕
　同じ負荷を直列に接続した回路と並列に接続した回路とで、同じ電流値で電流を流した場合、後者の方が１つ当たりの負荷に流れる電流が低くなることは周知の事項といえる。
　しかしながら、複数個の同種の負荷がある電子回路において、それらの負荷の配置に鑑みて、複数の負荷の中から特定の負荷に流れる電流値を低減させるために、該当する負荷を並列接続し、他の負荷を直列接続することまでが周知ということはできない。
　したがって、引用発明を、相違点３に係る本件発明３の構成のようにすることは、当業者が容易に想到し得ることとはいえない。
　よって、本件発明３は、引用発明及び周知の事項に基づいて当業者が容易に発明をすることができたものであるとはいえない。
エ　本件発明４
　本件発明４と引用発明とを対比すると、本件発明１と共通する事項については、上記アで述べたと同様の相当関係を有するので、上記相違点１に加えて、次の点で相違する。
〔相違点４〕
　本件発明４は、「駆動回路は、発光部内における外周側に配置された複数の有機ＥＬパネル同士を互いに直列接続し、発光部内における中央側に配置された複数の有機ＥＬパネルの各々に対して発熱に応じて抵抗値が下がる抵抗体を並列接続する、」との事項を有しているのに対して、引用発明は、そのような抵抗体を有していない点。
　相違点１は上記アで検討済みであるので、相違点４について検討する。
〔相違点４について〕
　相違点４に係る本件発明４の構成の「発熱に応じて抵抗値が下がる抵抗体」は、特許明細書の段落【００６５】、【００６６】の記載によれば、発光部内における中央側に配置された有機ＥＬパネル１ｂ，１ｃの近傍の発熱に応じて作用するものであり、有機ＥＬパネル１ｂ，１ｃに流れる電流を減少させ、発光部内における外周側に配置された有機ＥＬパネル１ａに供給される電流に比べて低くなるようにするものである。
　「発熱に応じて抵抗値が下がる抵抗体」自体は周知かもしれないが、複数個の同種の負荷がある電子回路において、それらの負荷の配置に鑑みて、複数の負荷の中から特定の負荷に流れる電流値を低減させるために、該当する負荷にのみ前記周知の抵抗体を並列接続することまでが周知ということはできず、またそのような証拠もない。
　したがって、引用発明を、相違点４に係る本件発明４の構成のようにすることは、当業者が容易に想到し得ることとはいえない。
　よって、本件発明４は、引用発明及び周知の事項に基づいて当業者が容易に発明をすることができたものであるとはいえない。
オ　本件発明５
　本件発明５と引用発明とを対比すると、本件発明１と共通する事項については、上記アで述べたと同様の相当関係を有するので、上記相違点１に加えて、次の点で相違する。
〔相違点５〕
　本件発明５は、「駆動回路」が「発光部内における中央側に配置された有機ＥＬパネルに供給される電流の電流密度と、発光部内の外周側に配置された有機ＥＬパネルに供給される電流の電流密度とが等しくなるように、複数の有機ＥＬパネルの各々に供給される電流を制御する第２の制御」を有するとともに、「複数の有機ＥＬパネルの発光輝度を調節する調光回路をさらに備え、前記調光回路は、前記発光輝度を下げる際には、前記発光部内における中央側に配置された前記有機ＥＬパネルに供給される前記電流の電流密度が、前記発光部内の外周側に配置された前記有機ＥＬパネルに供給される前記電流の電流密度よりも優先的に小さくなるように、複数の前記有機ＥＬパネルの各々に供給される前記電流を制御し、前記調光回路によって調光される調光レベルに応じて、前記第１の制御と前記第２の制御が切り替わる」との事項を有しているのに対して、引用発明は、「定電流制御部１８」及び「中央制御部１９」がそのような制御態様及び調光回路を有していない点。
　相違点１は上記アで検討済みであるので、相違点５について検討する。
〔相違点５について〕
　引用発明に、相違点５に係る本件発明５の構成のうちの「第２の制御」を付加することは、上記アの〔相違点２について〕の「ａ」で述べたと同様に、引用文献３に記載の事項から当業者が容易に想到し得ることといえる。
　しかしながら、上記アの〔相違点２について〕の「ｂ」で述べたと同様に、調光時に複数ある発光素子のうちの特定の発光素子の電流密度を優先的に低減する制御（第１の制御）を行う調光回路が周知ということはできず、そのような制御と、すべての発光素子の電流を等しくする制御（第２の制御）とを切り替える機能を備えた調光回路も周知ということはできない。
　そうしてみると、引用発明の発光素子を周知のＥＬパネルとしたものに、引用文献３に記載の事項を適用して「第１の制御」及び「第２の制御」を有したものとしたうえで、それら２つの制御を切り替える機能を備えた調光回路を付加することが、当業者にとって容易想到ということはできない。
　したがって、引用発明を、相違点５に係る本件発明５の構成のようにすることは、当業者が容易に想到し得ることとはいえない。
　よって、本件発明５は、引用発明、周知の事項及び引用文献３に記載の事項に基づいて当業者が容易に発明をすることができたものであるとはいえない。
カ　本件発明７
　本件発明７と引用発明とを対比すると、本件発明１と共通する事項については、上記アで述べたと同様の相当関係を有するので、上記相違点１に加えて、次の点で相違する。
〔相違点６〕
　本件発明７は、「駆動回路」が「発光部内における中央側に配置された有機ＥＬパネルに供給される電流の電流密度と、発光部内の外周側に配置された有機ＥＬパネルに供給される電流の電流密度とが等しくなるように、複数の有機ＥＬパネルの各々に供給される電流を制御する第２の制御」を有するとともに、「複数の有機ＥＬパネルの発光輝度を調節する調光回路をさらに備え、前記駆動回路は、前記調光回路が前記発光輝度を下げた際に、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御し、前記調光回路によって調光される調光レベルが最大に設定された状態においては、前記第２の制御が行われる」との事項を有しているのに対して、引用発明は、「定電流制御部１８」及び「中央制御部１９」がそのような制御態様及び調光回路を有していない点。
　相違点１は上記アで検討済みであるので、相違点６について検討する。
〔相違点６について〕
　引用発明に、相違点６に係る本件発明７の構成のうちの「第２の制御」を付加することは、上記アの〔相違点２について〕の「ａ」で述べたと同様に、引用文献３に記載の事項から当業者が容易に想到し得ることといえる。
　しかしながら、上記アの〔相違点２について〕の「ｂ」で述べたと同様に、照明器具に単に調光回路を付加するようなことは周知といえるかもしれないが、調光時に複数ある発光素子のうちの特定の発光素子の電流密度を低減する制御（第１の制御）を行うことが周知ということはできず、駆動回路がそのような制御と、調光レベルが最大時にすべての発光素子の電流を等しくする制御（第２の制御）とを備えたものとすることも周知ということはできない。
　そうしてみると、引用発明の発光素子を周知のＥＬパネルとしたものに、引用文献３に記載の事項を適用して「第１の制御」及び「第２の制御」を有したものとしたうえで、それら２つの制御を備えた駆動回路とすることが、当業者にとって容易想到ということはできない。
　したがって、引用発明を、相違点６に係る本件発明７の構成のようにすることは、当業者が容易に想到し得ることとはいえない。
　よって、本件発明７は、引用発明、周知の事項及び引用文献３に記載の事項に基づいて当業者が容易に発明をすることができたものであるとはいえない。
（５）特許異議申立書に記載された特許異議申立理由について
ア　特許法第２９条第２項の関係について
（ア）
　申立人は特許異議申立書において、本件特許の請求項１〜９に係る発明は、甲第１号証（特開２０１０−３２７３０号公報。以下、「甲１」という。）に記載された発明を主たる引用発明として、当業者が容易に発明をすることができたものである旨主張しているが、甲１には、基板表面に配置されたＬＥＤ１４０ａ〜ｆのうちの比較的上方に位置しているＬＥＤ１４０ａ，ｂが温度分布において高温領域にあるとして、その電流値を比較的低く設定することが記載されているものの（段落【００３９】、【図１】〜【図３】を参照）、複数のＬＥＤの中央側が高温領域となるとの見識は示されておらず、本件発明１〜７に共通する「発光部内における中央側に配置された有機ＥＬパネルに供給される電流の電流密度が、発光部内の外周側に配置された有機ＥＬパネルに供給される電流の電流密度よりも小さくなるように、複数の前記有機ＥＬパネルの各々に供給される前記電流を制御する」ことに関する事項は記載も示唆もされていない。
　また、申立人が副引用例として特許異議申立書に添付した甲第２号証（平成２８年５月１３日付けの取消理由で引用した引用文献３。以下、「甲２」という。）には、中央に配置される温度センサー９５の検出値を参考にして、温度が低い場合は中央領域５０、その外周側の第１環状領域６０、さらに外周側の第２環状領域７０の全てのＬＥＤ素子群を発光させる通常モードに設定し、温度が所定の第１閾値を超えると中央領域５０と第２環状領域７０のＬＥＤ素子を発光させる中間モードに切り換え、更に温度が上昇して所定の第２閾値を超えた場合には第１環状領域６０のＬＥＤ素子のみを発光させる省力モードに自動的に切り換えることが記載されている（上記「（４）ア」の〔相違点２について〕の「ａ」を参照）が、本件発明１〜７に共通する前記事項を示唆するものではなく、申立人の主張するように、甲１に記載のものに甲２に記載されたＬＥＤの配置を適用したとしても、本件発明１〜７に共通する前記事項のようにすることはできず、本件発明１〜７に共通する前記事項を容易に想到しうるということはできない。
　さらに、申立人が副引用例として特許異議申立書に添付した甲第４号証（特開平９−１１６２９７号公報。以下、「甲４」という。）には、内側の円周上に位置する第１のグループのＬＥＤ３５と、外側の円周上に位置する第２のグループのＬＥＤ３６とに対してそれぞれ、電流供給量がグループ別に独立して調整可能とすることが記載されているものの（段落【００２５】、【００２６】、【図４】を参照）、当該事項は、各ＬＥＤ３５、３６から照射される光の強さ（輝度）を第１グループと第２グループとで相対的に変化させることで、カメラにより撮像される画像の濃淡の状態を変化させるためのものであることが記載されており（段落【００３０】を参照）、そうすると、甲１に記載のものに甲４に記載の事項を適用する動機付けはなく、甲４に記載の事項から本件発明１〜７に共通する前記事項を容易に想到しうるということはできない。
（イ）
　申立人は特許異議申立書において、本件特許の請求項４に係る発明の事項について、甲第３号証（引用文献２）に記載の事項に基づいて当業者が容易想到である旨主張しているが、引用文献２には「ＰＴＣサーミスタ（正の抵抗値温度特性を有するサーミスタ）」を用いることが記載されており、当該「ＰＴＣサーミスタ」は本件発明４の「発熱に応じて抵抗値が下がる抵抗体」とは温度特性が相違し、その特性の相違に基づき回路内の配置も相違することとなるので、引用発明に引用文献２に記載の事項を適用しても、本件発明４の構成とすることはできない。
イ　特許法第３６条第６項第２号の関係について
　申立人は特許異議申立書において、本件特許の請求項５に係る発明の「優先的に小さくなるように」との事項は明確でない旨主張しているが、特許明細書の段落【００５２】及び【図１０】には、「調光レベル」が「ＭＡＸ」から「１０」にかけて、中央側の有機ＥＬパネルの電流密度が優先して小さくなっていることが記載されている。このことは、本件発明５の「第１の制御」と「第２の制御」とが、前記の段落の記載に基づくものであることにも整合している。よって、本件発明５は明確である。
（４）むすび
　以上のとおりであるから、取消理由通知に記載した取消理由及び特許異議申立書に記載した特許異議申立理由によっては、本件請求項１〜７に係る特許を取り消すことはできず、他に本件請求項１〜７に係る特許を取り消すべき理由を発見しない。
　また、請求項８及び９に係る特許は、訂正により、削除されたため、本件特許の請求項８及び９に対して、特許異議申立人　榎本英俊がした特許異議の申立てについては、対象となる請求項が存在しない。
　よって、結論のとおり決定する。
【異議決定日】
平成２８年１１月２５日（２０１６．１１．２５）
【訂正の要旨】
審決（決定）の【理由】欄参照。
（５７）【特許請求の範囲】
　【請求項１】
　複数の有機ＥＬパネルが面状に配列された発光部と、
　複数の前記有機ＥＬパネルの各々に電流を供給する駆動回路と、を備え、
　前記駆動回路は、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御する
第１の制御と、前記発光部内における中央側に配置された前記有機ＥＬパネルに供給される前記電流の電流密度と、前記発光部内の外周側に配置された前記有機ＥＬパネルに供給される前記電流の電流密度とが等しくなるように、複数の前記有機ＥＬパネルの各々に供給される前記電流を制御する第２の制御と、を有し、
　
複数の前記有機ＥＬパネルの発光輝度を調節する調光回路をさらに備え、
　
前記調光回路は、前記発光輝度を下げる際には、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御し、
　
前記調光回路によって調光される調光レベルに応じて、前記第１の制御と前記第２の制御が切り替わる、
有機ＥＬ照明器具。
　【請求項２】
　前記発光部内の温度を検知する温度センサーをさらに備え、
　前記駆動回路は、前記温度センサーが検知した値に応じて、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御する、
請求項１に記載の有機ＥＬ照明器具。
　【請求項３】
　
複数の有機ＥＬパネルが面状に配列された発光部と、
　
複数の前記有機ＥＬパネルの各々に電流を供給する駆動回路と、を備え、
　
前記駆動回路は、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御し、
　前記駆動回路は、前記発光部内における外周側に配置された複数の前記有機ＥＬパネル同士を互いに直列接続し、前記発光部内における中央側に配置された複数の前記有機ＥＬパネル同士を互いに並列接続する、
有
　【請求項４】
　
複数の有機ＥＬパネルが面状に配列された発光部と、
　
複数の前記有機ＥＬパネルの各々に電流を供給する駆動回路と、を備え、
　
前記駆動回路は、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御し、
　前記駆動回路は、前記発光部内における外周側に配置された複数の前記有機ＥＬパネル同士を互いに直列接続し、前記発光部内における中央側に配置された複数の前記有機ＥＬパネルの各々に対して発熱に応じて抵抗値が下がる抵抗体を並列接続する、
有
　【請求項５】
　
複数の有機ＥＬパネルが面状に配列された発光部と、
　
複数の前記有機ＥＬパネルの各々に電流を供給する駆動回路と、を備え、
　
前記駆動回路は、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御する第１の制御と、前記発光部内における中央側に配置された前記有機ＥＬパネルに供給される前記電流の電流密度と、前記発光部内の外周側に配置された前記有機ＥＬパネルに供給される前記電流の電流密度とが等しくなるように、複数の前記有機ＥＬパネルの各々に供給される前記電流を制御する第２の制御と、を有し、
　複数の前記有機ＥＬパネルの発光輝度を調節する調光回路をさらに備え、
　前記調光回路は、前記発光輝度を下げる際には、前記発光部内における中央側に配置された前記有機ＥＬパネルに供給される前記電流の電流密度が、前記発光部内の外周側に配置された前記有機ＥＬパネルに供給される前記電流の電流密度よりも優先的に小さくなるように、複数の前記有機ＥＬパネルの各々に供給される前記電流を制御
し、
　
前記調光回路によって調光される調光レベルに応じて、前記第１の制御と前記第２の制御が切り替わる、
有
　【請求項６】
　複数の前記有機ＥＬパネルは、前記発光部の中央側に配置される第１グループと、前記第１グループの外周側に配置される第２グループと、前記第２グループの外周側に配置される第３グループとを含む少なくとも３つのグループに区分され、
　前記駆動回路は、内側に配置された前記グループの前記有機ＥＬパネルほど電流密度が小さくなるように、複数の前記有機ＥＬパネルの各々に供給される前記電流を制御する、請求項１に記載の有機ＥＬ照明器具。
　【請求項７】
　
複数の有機ＥＬパネルが面状に配列された発光部と、
　
複数の前記有機ＥＬパネルの各々に電流を供給する駆動回路と、を備え、
　
前記駆動回路は、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御する第１の制御と、前記発光部内における中央側に配置された前記有機ＥＬパネルに供給される前記電流の電流密度と、前記発光部内の外周側に配置された前記有機ＥＬパネルに供給される前記電流の電流密度とが等しくなるように、複数の前記有機ＥＬパネルの各々に供給される前記電流を制御する第２の制御と、を有し、
　複数の前記有機ＥＬパネルの発光輝度を調節する調光回路をさらに備え、
　前記駆動回路は、前記調光回路が前記発光輝度を下げた際に、前記発光部内における中央側に配置された前記有機ＥＬパネルに供給される前記電流の電流密度が、前記発光部内の外周側に配置された前記有機ＥＬパネルに供給される前記電流の電流密度よりも小さくなるように、複数の前記有機ＥＬパネルの各々に供給される前記電流を制御
し、
　
前記調光回路によって調光される調光レベルが最大に設定された状態においては、前記第２の制御が行なわれる、
有
　【請求項８】
　
（削除）
　【請求項９】
　
（削除）